【手続補正書】
【提出日】平成27年8月12日(2015.8.12)
【手続補正１】
【補正対象書類名】特許請求の範囲
【補正対象項目名】全文
【補正方法】変更
【補正の内容】
【特許請求の範囲】
【請求項１】
ガス化システム（１００）であって、
ガス化炉（１０２）と、
前記ガス化炉（１０２）と流体連通して連結されたフィードインジェクタ（１０８）と、
前記フィードインジェクタ（１０８）と流体連通して連結された燃料供給システム（１０４）とを備えており、前記燃料供給システム（１０４）は、
スラリー又は燃料ガスを供給するための第１供給ライン（３０２）と、
不活性ガス及び／又は酸素を供給するための第２供給ライン（３０４）と、
プロセッサ（１１２）を含む燃料供給システムコントローラ（１０６）とを備え、前記プロセッサ（１１２）は、
前記第１供給ライン（３０２）が前記フィードインジェクタ（１０８）に燃料ガスを供給するのを可能にし、
前記第２供給ライン（３０４）が前記フィードインジェクタ（１０８）に酸素を供給するのを可能にし、
前記ガス化炉（１０２）にスラリーを加える命令を受信し、
前記第１供給ライン（３０２）が前記フィードインジェクタ（１０８）に燃料ガスを供給するのを防止し、
前記第１供給ライン（３０２）が前記フィードインジェクタ（１０８）にスラリーを供給するのを可能にし、
前記第１供給ライン（３０２）が前記スラリーを供給可能にすることに応答して前記第２供給ライン（３０４）が前記フィードインジェクタ（１０８）に酸素及び不活性ガスを同時に供給するのを可能にし、前記第２供給ライン（３０４）が所定の期間に酸素と不活性ガスを供給し、前記所定の期間が、前記スラリーが前記フィードインジェクタ（１０８）の先端に到達するのに必要な時間であり、
前記第２供給ライン（３０４）が前記フィードインジェクタ（１０８）に不活性ガスを供給するのを防止するようにプログラムされる、ガス化システム（１００）。
【請求項２】
前記燃料供給システムコントローラ（１０６）の前記プロセッサ（１１２）は、更に、スラリーの圧力が作動圧力を下回る場合、前記第１供給ライン（３０２）が前記フィードインジェクタ（１０８）にスラリーを供給するのを防止するようにプログラムされる、請求項１に記載のガス化システム（１００）。
【請求項３】
不活性ガスは、スラリーが単一のフィードインジェクタ（１０８）の先端に到達するまで、酸素と同時に供給されて酸素の純度レベルを低下させる、請求項１または２に記載のガス化システム（１００）。
【請求項４】
前記フィードインジェクタ（１０８）はスリーストリームフィードインジェクタであり、前記スリーストリームフィードインジェクタは、
前記第２供給ライン（３０４）と流体連通する第１流路（２０２）と、
前記第１供給ライン（３０２）と流体連通する第２流路（２０４）と、
前記第２供給ライン（３０４）と流体連通する第３流路（２０６）とを備える、請求項１乃至３のいずれかに記載のガス化システム（１００）。
【請求項５】
前記燃料供給システム（１０４）は、
三方弁（３１４）を介して前記第１供給ライン（３０２）と流体連通して連結された第３供給ライン（３１６）であって、スラリー供給源（３０６）から前記第１供給ライン（３０２）にスラリーを供給する前記第３供給ライン（３１６）と、
前記三方弁（３１４）を介して前記第１供給ライン（３０２）と流体連通して連結された第４供給ライン（３１８）であって、燃料ガス供給源（３０８）から前記第１供給ライン（３０２）に燃料ガスを供給する前記第４供給ライン（３１８）とを更に備える、請求項１乃至４のいずれかに記載のガス化システム（１００）。
【請求項６】
前記燃料供給システム（１０４）は、前記第２供給ライン（３０４）と通信可能に連結された圧力制御装置（３２２）であって、前記第２供給ライン（３０４）の圧力上昇が検出されると、酸素排気口（３２４）を開いて、単一のフィードインジェクタ（１０８）に供給されている酸素の量を減少させるように構成された前記圧力制御装置（３２２）を更に備える、請求項１乃至５のいずれかに記載のガス化システム（１００）。
【請求項７】
ガス化システム（１００）であって、
ガス化炉（１０２）と、
前記ガス化炉（１０２）と流体連通して連結されたフィードインジェクタ（１０８）と、
前記フィードインジェクタ（１０８）と流体連通して連結された燃料供給システム（１０４）とを備えており、前記燃料供給システム（１０４）は、
不活性ガス及び／又は燃料ガスを供給するための第１供給ライン（５０２）と、
スラリーを供給するための第２供給ライン（５０４）と、
酸素を供給するための第３供給ライン（５０６）と、
プロセッサ（１１２）を含む燃料供給システムコントローラ（１０６）とを備え、前記プロセッサ（１１２）は、
前記第１供給ライン（５０２）が前記フィードインジェクタ（１０８）に燃料ガスを供給するのを可能にし、
前記第３供給ライン（５０６）が前記フィードインジェクタ（１０８）に酸素を供給するのを可能にし、
前記ガス化炉（１０２）にスラリーを供給する命令を受信し、
前記第２供給ライン（５０４）が前記フィードインジェクタ（１０８）にスラリーを供給するのを可能にし、
前記第１供給ライン（５０２）が前記フィードインジェクタ（１０８）に燃料ガスを供給するのを防止し、
前記第１供給ライン（５０２）が所定の期間前記フィードインジェクタ（１０８）に不活性ガスを供給し、前記所定の期間が、前記スラリーが前記フィードインジェクタ（１０８）の先端に到達するのに必要な時間であり、
前記第２供給ライン（３０４）が前記フィードインジェクタ（１０８）に不活性ガスを供給するのを防止するのを可能にするようにプログラムされる、ガス化システム（１００）。
【請求項８】
前記燃料供給システム（１０４）は、前記第３供給ライン（５０６）と流体連通する第４供給ライン（５０８）であって、前記第３供給ライン（５０６）から前記フィードインジェクタ（１０８）に酸素を供給するように構成された前記第４供給ライン（５０８）を更に備える、請求項７に記載のガス化システム（１００）。
【請求項９】
前記フィードインジェクタ（１０８）はスリーストリームフィードインジェクタであり、前記スリーストリームフィードインジェクタは、
前記第１供給ライン（５０２）及び前記第４供給ライン（５０８）と流体連通する第１流路（２０２）と、
前記第２供給ライン（５０４）と流体連通する第２流路（２０４）と、
前記第３供給ライン（５０６）と流体連通する第３流路（２０６）とを備える、請求項８に記載のガス化システム（１００）。
【請求項１０】
前記燃料供給システム（１０４）は、前記第１供給ライン（５０２）と流体連通して連結された第５供給ライン（５１８）であって、不活性ガス供給源（５１６）から前記第１供給ライン（５０２）に不活性ガスを供給する前記第５供給ライン（５１８）を備え、
不活性ガスは、前記第１供給ライン（５０２）及び前記第１流路（２０２）をパージするために供給される、請求項７乃至９のいずれかに記載のガス化システム（１００）。
【請求項１１】
前記燃料供給システムコントローラ（１０６）の前記プロセッサ（１１２）は、更に、スラリーの圧力が作動圧力を下回る場合、前記第２供給ライン（５０４）が前記フィードインジェクタ（１０８）にスラリーを供給するのを防止するようにプログラムされる、請求項７乃至９のいずれかに記載のガス化システム（１００）。
【手続補正２】
【補正対象書類名】明細書
【補正対象項目名】発明の名称
【補正方法】変更
【補正の内容】
【発明の名称】ガス化炉の起動時の燃料供給を切り換えるシステム